(57)【要約】【課題】２周波数帯の信号を送受信する携帯型移動無線電話装置において、送受信時のアンテナ特性を良好にするとともに、ダイバーシチ受信を可能にする。【解決手段】開示される携帯型移動無線電話装置は、低周波数帯の信号を送信し低周波数帯の信号をダイバーシチ受信する第１の送受信機１と、高周波数帯の信号を送信し高周波数帯の信号をダイバーシチ受信する第２の送受信機２とを備えた携帯型移動無線電話装置において、ホィップアンテナＡＷ１と第１の内蔵型アンテナＡ１１と第２の内蔵型アンテナＡ１２とを設けるとともに、第１の送受信機１に対して、ホィップアンテナＡＷ１を送受信端子に接続するとともに、第１の内蔵型アンテナＡ１１を受信専用端子に接続し、第２の送受信機２に対して、第２の内蔵型アンテナＡ１２を送受信端子に接続するとともに、ホィップアンテナＡＷ１を受信専用端子に接続するアンテナ切替スイッチ３Ａを設ける。【選択図】　　　図１
2004104184.tif 000002
【特許請求の範囲】
【請求項１】
第１の周波数帯の信号を送信するとともに、前記第１の周波数帯の信号をダイバーシチ受信する第１の送受信機と、第２の周波数帯の信号を送信するとともに、前記第２の周波数帯の信号をダイバーシチ受信する第２の送受信機とを備えた携帯型移動無線電話装置において、
筐体外に突出する露出型アンテナと、筐体内の第１および第２の内蔵型アンテナとを設けるとともに、前記第１の送受信機に対して、前記露出型アンテナをその送受信端子に接続するとともに、前記第１の内蔵型アンテナをその受信専用端子に接続し、前記第２の送受信機に対して、前記第２の内蔵型アンテナをその送受信端子に接続するとともに、前記露出型アンテナをその受信専用端子に接続するアンテナ切替手段を設けたことを特徴とする携帯型移動無線電話装置。
【請求項２】
低周波数帯の信号を送信するとともに、前記低周波数帯の信号をダイバーシチ受信する第１の送受信機と、高周波数帯の信号を送信するとともに、前記高周波数帯の信号をダイバーシチ受信する第２の送受信機とを備えた携帯型移動無線電話装置において、
筐体外に突出する露出型アンテナと、筐体内の第１および第２の内蔵型アンテナとを設けるとともに、前記第１の送受信機に対して、前記露出型アンテナをその送受信端子に接続するとともに、前記第１の内蔵型アンテナをその受信専用端子に接続し、前記第２の送受信機に対して、前記第２の内蔵型アンテナをその送受信端子に接続するとともに、前記露出型アンテナをその受信専用端子に接続するアンテナ切替手段を設けたことを特徴とする携帯型移動無線電話装置。
【請求項３】
前記露出型アンテナが、前記低周波数帯において、前記第１の送受信機に対して良好なアンテナ特性を持つとともに、前記第２の内蔵型アンテナが、前記高周波数帯において、前記第２の送受信機に対して良好なアンテナ特性を持つことを特徴とする請求項２記載の携帯型移動無線電話装置。
【請求項４】
低周波数帯の信号を送信するとともに、前記低周波数帯の信号をダイバーシチ受信する第１の送受信機と、高周波数帯の信号を送信するとともに、前記高周波数帯の信号をダイバーシチ受信する第２の送受信機とを備えた携帯型移動無線電話装置において、
筐体外に突出する露出型アンテナと、筐体内の第１および第２の内蔵型アンテナとを設けるとともに、前記第１の送受信機に対して、前記第１の内蔵型アンテナをその送受信端子に接続するとともに、前記露出型アンテナをその受信専用端子に接続し、前記第２の送受信機に対して、前記露出型アンテナをその送受信端子に接続するとともに、前記第２の内蔵型アンテナをその受信専用端子に接続するアンテナ切替手段を設けたことを特徴とする携帯型移動無線電話装置。
【請求項５】
前記第１の内蔵型アンテナが、前記低周波数帯において、前記第１の送受信機に対して良好なアンテナ特性を持つとともに、前記露出型アンテナが、前記高周波数帯において、前記第２の送受信機に対して良好なアンテナ特性を持つことを特徴とする請求項４記載の携帯型移動無線電話装置。
【請求項６】
前記低周波数帯が８００ＭＨｚ帯であり、前記高周波数帯が１．５ＧＨｚ帯であることを特徴とする請求項２乃至５のいずれか一記載の携帯型移動無線電話装置。
【請求項７】
前記露出型アンテナが、折り畳み式携帯型移動無線電話装置の上部筐体に設けられたホィップアンテナであることを特徴とする請求項１乃至６のいずれか一記載の携帯型移動無線電話装置。
【請求項８】
前記第１および第２の内蔵型アンテナが、折り畳み式携帯型移動無線電話装置の下部筐体内に設けられた固定アンテナであることを特徴とする請求項１乃至７のいずれか一記載の携帯型移動無線電話装置。
【発明の詳細な説明】
【０００１】
【発明の属する技術分野】
この発明は、２種類の送受信周波数帯を持つとともに、それぞれの周波数帯においてダイバーシチ受信可能な、携帯型移動無線電話装置に関する。
【０００２】
【従来の技術】
携帯型移動無線電話装置の使用が普及するのに伴って、その使用台数も著しく増加しているが、これによって通信トラフィックの混雑の度合いが増している。これに対して、通信トラフィックの混雑を改善するとともに、利用可能エリアの拡大のために、ＰＤＣ（Ｐｅｒｓｏｎａｌ　Ｄｉｇｉｔａｌ　Ｃｅｌｌｕｌａｒ　）携帯型移動無線電話装置に代表されるように、８００ＭＨｚ帯と１．５ＧＨｚ帯の両周波数帯を使用可能な携帯型移動無線電話装置の実用化に対する要望が高まっており、各種の形式の機器が市場に提供されはじめている。
【０００３】
このような、２周波数帯型の携帯型移動無線電話装置（以下、単に携帯電話装置ともいう）としては、従来から用いられている引き出し式のホィップアンテナの他に、筐体内に内蔵型の２種類のアンテナを備えて、８００ＭＨｚ帯と１．５ＧＨｚ帯の両周波数帯の無線信号の送受信を行うとともに、ダイバーシチ受信が可能なように構成されたものが既に知られている。
【０００４】
図６は、従来の２周波数帯型の携帯電話装置の概要を示したものであって、（ａ）は、８００ＭＨｚ送受信機及び１．５ＧＨｚ送受信機と、各アンテナとの接続形態を示し、（ｂ）は、８００ＭＨｚ帯と１．５ＧＨｚ帯の両周波数帯における、各アンテナの使用形態を示している。
【０００５】
従来の２周波数帯型携帯電話装置は、図６（ａ）に示すように、８００ＭＨｚ帯の送受信機１と、１．５ＭＨｚ帯の送受信機２とを、アンテナ切替器３を介して、ホィップアンテナＡＷと、第１の内蔵型アンテナＡ１と、第２の内蔵型アンテナＡ２とに切り替えて接続するように構成されている。
そして、この際の各アンテナの使用形態は、図６（ｂ）に示すように、８００ＭＨｚ帯の場合は、ホィップアンテナＡＷを送受信アンテナとして用い、内蔵型アンテナＡ１をダイバーシチ受信のための受信専用アンテナとして用いるとともに、１．５ＭＨｚ帯の場合は、ホィップアンテナＡＷを送受信アンテナとして用い、内蔵型アンテナＡ２をダイバーシチのための受信専用アンテナとして用いるようになっている。
【０００６】
このように、従来の２周波数帯型携帯電話装置では、送受信用のアンテナが一つしかなく、そのため、同一のホィップアンテナを、８００ＭＨｚ帯と１．５ＭＨｚ帯とで共用して送受信を行うようになっていた。
【０００７】
【発明が解決しようとする課題】
２周波数帯型携帯電話装置において、同一のホィップアンテナを、８００ＭＨｚ帯と１．５ＭＨｚ帯とで共用しようとする場合、両周波数帯では波長が異なるため、ホィップアンテナ式等の代表的なアンテナ形式では、いずれか一方の周波数帯のアンテナ特性を重視すれば、他方の周波数帯ではアンテナ特性が低下することになる。
従って、両方の周波数帯において、十分なアンテナ特性を確保することが難しいため、データ通信品質の劣化を招くことを避けられないという問題があった。
【０００８】
この発明は、上述の事情に鑑みてなされたものであって、２周波数帯を使用する携帯電話装置において、両周波数帯において、十分なアンテナ特性を確保することが可能な、携帯型移動無線電話装置を提供することを目的としている。
【０００９】
【課題を解決するための手段】
上記課題を解決するため、請求項１記載の発明は携帯型移動無線電話装置に係り、第１の周波数帯の信号を送信するとともに、上記第１の周波数帯の信号をダイバーシチ受信する第１の送受信機と、第２の周波数帯の信号を送信するとともに、上記第２の周波数帯の信号をダイバーシチ受信する第２の送受信機とを備えた携帯型移動無線電話装置において、
筐体外に突出する露出型アンテナと、筐体内の第１および第２の内蔵型アンテナとを設けるとともに、上記第１の送受信機に対して、上記露出型アンテナをその送受信端子に接続するとともに、上記第１の内蔵型アンテナをその受信専用端子に接続し、上記第２の送受信機に対して、上記第２の内蔵型アンテナをその送受信端子に接続するとともに、上記露出型アンテナをその受信専用端子に接続するアンテナ切替手段を設けたことを特徴としている。
【００１０】
また、請求項２記載の発明は携帯型移動無線電話装置に係り、低周波数帯の信号を送信するとともに、上記低周波数帯の信号をダイバーシチ受信する第１の送受信機と、高周波数帯の信号を送信するとともに、上記高周波数帯の信号をダイバーシチ受信する第２の送受信機とを備えた携帯型移動無線電話装置において、筐体外に突出する露出型アンテナと、筐体内の第１および第２の内蔵型アンテナとを設けるとともに、上記第１の送受信機に対して、上記露出型アンテナをその送受信端子に接続するとともに、上記第１の内蔵型アンテナをその受信専用端子に接続し、上記第２の送受信機に対して、上記第２の内蔵型アンテナをその送受信端子に接続するとともに、上記露出型アンテナをその受信専用端子に接続するアンテナ切替手段を設けたことを特徴としている。
【００１１】
また、請求項３記載の発明は、請求項２記載の携帯型移動無線電話装置に係り、上記露出型アンテナが、上記低周波数帯において、上記第１の送受信機に対して良好なアンテナ特性を持つとともに、上記第２の内蔵型アンテナが、上記高周波数帯において、上記第２の送受信機に対して良好なアンテナ特性を持つことを特徴としている。
【００１２】
また、請求項４記載の発明は携帯型移動無線電話装置に係り、低周波数帯の信号を送信するとともに、上記低周波数帯の信号をダイバーシチ受信する第１の送受信機と、高周波数帯の信号を送信するとともに、上記高周波数帯の信号をダイバーシチ受信する第２の送受信機とを備えた携帯型移動無線電話装置において、筐体外に突出する露出型アンテナと、筐体内の第１および第２の内蔵型アンテナとを設けるとともに、上記第１の送受信機に対して、上記第１の内蔵型アンテナをその送受信端子に接続するとともに、上記露出型アンテナをその受信専用端子に接続し、上記第２の送受信機に対して、上記露出型アンテナをその送受信端子に接続するとともに、上記第２の内蔵型アンテナをその受信専用端子に接続するアンテナ切替手段を設けたことを特徴としている。
【００１３】
また、請求項５記載の発明は、請求項４記載の携帯型移動無線電話装置に係り、上記第１の内蔵型アンテナが、上記低周波数帯において、上記第１の送受信機に対して良好なアンテナ特性を持つとともに、上記露出型アンテナが、上記高周波数帯において、上記第２の送受信機に対して良好なアンテナ特性を持つことを特徴としている。
【００１４】
また、請求項６記載の発明は、請求項２乃至５のいずれか一記載の携帯型移動無線電話装置に係り、上記低周波数帯が８００ＭＨｚ帯であり、上記高周波数帯が１．５ＧＨｚ帯であることを特徴としている。
【００１５】
また、請求項７記載の発明は、請求項１乃至６のいずれか一記載の携帯型移動無線電話装置に係り、上記露出型アンテナが、折り畳み式携帯型移動無線電話装置の上部筐体に設けられたホィップアンテナであることを特徴としている。
【００１６】
また、請求項８記載の発明は、請求項１乃至７のいずれか一記載の携帯型移動無線電話装置に係り、上記第１および第２の内蔵型アンテナが、折り畳み式携帯型移動無線電話装置の下部筐体内に設けられた固定アンテナであることを特徴としている。
【００１７】
【発明の実施の形態】
以下、図面を参照して、この発明の実施の形態について説明する。説明は、実施例を用いて具体的に行う。
◇第１実施例
図１は、本発明の第１実施例である携帯型移動無線電話装置の構成を示すブロック図、図２は、本実施例の携帯型移動無線電話装置におけるアンテナ切替スイッチの構成例を示す図、図３は、本実施例の携帯型移動無線電話装置の外観構成例を示す図である。
【００１８】
この例の携帯型移動無線電話装置は、図１（ａ）に示すように、８００ＭＨｚ帯の送受信機１と、１．５ＭＨｚ帯の送受信機２と、アンテナ切替スイッチ３Ａと、ホィップアンテナＡＷ１と、第１の内蔵型アンテナＡ１１と、第２の内蔵型アンテナＡ１２とから概略構成されている。
【００１９】
８００ＭＨｚ帯の送受信機１は、８００ＭＨｚ帯の周波数によって送受信を行うとともに、８００ＭＨｚ帯の受信信号によってダイバーシチ受信できるように構成されている。１．５ＭＨｚ帯の送受信機２は、１．５ＭＨｚ帯の周波数によって送受信を行うとともに、１．５ＭＨｚ帯の受信信号によってダイバーシチ受信できるように構成されている。
【００２０】
アンテナ切替スイッチ３Ａは、ホィップアンテナＡＷ１と、第１の内蔵型アンテナＡ１１と、第２の内蔵型アンテナＡ１２とを、８００ＭＨｚ帯の使用時と１．５ＭＨｚ帯の使用時とに応じて切り替えて、８００ＭＨｚ帯の送受信機１と、１．５ＭＨｚ帯の送受信機２とにそれぞれ接続する。
【００２１】
ホィップアンテナＡＷ１は、露出型アンテナを構成し、通常、携帯電話装置の筐体から引き出して使用するように構成されており、８００ＭＨｚ帯の送受信時のアンテナ特性が良好になるように、その長さ等が設定されている。第１の内蔵型アンテナＡ１１と第２の内蔵型アンテナＡ１２とは、携帯電話装置の筐体内に固定的に装置されており、第２の内蔵型アンテナＡ１２は、１．５ＭＨｚ帯の送受信時のアンテナ特性が良好になるように、その長さ等が設定されている。
【００２２】
以下、図１，図２を参照して、この例の携帯型移動無線電話装置の動作を説明する。
この例の携帯電話装置は、８００ＭＨｚ帯での動作時には、図１（ｂ）に示すように、ホィップアンテナＡＷ１を送受信に使用し、内蔵型アンテナＡ１１を受信専用として使用する。この際、送信状態では、ホィップアンテナＡＷ１から電波が送出されるとともに、受信状態では、ホィップアンテナＡＷ１と内蔵型アンテナＡ１１とによって、ダイバーシチ受信が行われる。この場合は、ホィップアンテナＡＷ１はメインアンテナとして機能し、内蔵型アンテナＡ１１は補助的な役割を果たしている。
【００２３】
また、この例の携帯電話装置は、１．５ＭＨｚ帯での動作時には、図１（ｂ）に示すように、内蔵型アンテナＡ１２を送受信に使用し、ホィップアンテナＡＷ１を受信専用として使用する。この際、送信状態では、内蔵型アンテナＡ１２から電波が送出されるとともに、受信状態では、内蔵型アンテナＡ１２とホィップアンテナＡＷ１とによって、ダイバーシチ受信が行われる。この場合は、内蔵型アンテナＡ１２はメインアンテナとして機能し、ホィップアンテナＡＷ１は補助的な役割を果たしている。
【００２４】
図２は、この例の携帯電話装置における、アンテナ切替スイッチ３Ａの構成例を示したものであって、８００ＭＨｚ帯送受信機１および１．５ＭＨｚ帯送受信機２において、Ｉ１は送受信アンテナ端子、Ｉ２はダイバーシチ受信のための受信専用アンテナ端子である。同図は、８００ＭＨｚ帯動作時における接続状態を例示し、１．５ＭＨｚ帯動作時には、各スイッチが反対側の接点に切り替えられる。
【００２５】
上述のように、８００ＭＨｚ帯の送受信機１及び１．５ＭＨｚ帯の送受信機２と、ホィップアンテナＡＷ１，第１の内蔵型アンテナＡ１１及び第２の内蔵型アンテナＡ１２との間の接続は、アンテナ切替スイッチ３Ａを図２に示すように構成して、切替制御信号によって、動作周波数帯に応じて切り替えることによって、図１（ｂ）に示すような所望の使用状態を実現することができる。
【００２６】
図３は、この例の携帯型移動無線電話装置の外観構成を例示したものであって、折り畳み型の携帯型移動無線電話装置１０の上部筐体１１に露出型アンテナＡＷ１として引き出し型のホィップアンテナ１２を設けるとともに、下部筐体１３内に第１の内蔵型アンテナＡ１１（不図示）と、第２の内蔵型アンテナＡ１２（不図示）とを設けることが示されている。内蔵型アンテナＡ１１，Ａ１２は、通常、下部筐体１３内において、プリント基板上に形成されるか、または筐体内の金属導体によって構成される。
【００２７】
このように、この例の携帯型移動無線電話装置では、異なる２種類の周波数帯に対して、それぞれ専用の送受信用アンテナを設けたので、両周波数帯において、送受信時のアンテナ特性を良好にすることができるとともに、受信専用のアンテナを備えて、ダイバーシチ受信を行うことができるようにしたので、送受信時の性能を向上して、データ通信品質を改善することが可能となる。
【００２８】
◇第２実施例
図４は、本発明の第２実施例である携帯型移動無線電話装置の構成を示すブロック図、図５は、本実施例の携帯型移動無線電話装置におけるアンテナ切替スイッチの構成例を示す図である。
【００２９】
この例の携帯型移動無線電話装置は、図４（ａ）に示すように、８００ＭＨｚ帯の送受信機１と、１．５ＭＨｚ帯の送受信機２と、アンテナ切替スイッチ３Ｂと、ホィップアンテナＡＷ２と、第１の内蔵型アンテナＡ２１と、第２の内蔵型アンテナＡ２２とから概略構成されている。
【００３０】
８００ＭＨｚ帯の送受信機１は、８００ＭＨｚ帯の周波数によって送受信を行うとともに、８００ＭＨｚ帯の受信信号によってダイバーシチ受信できるように構成されている。１．５ＭＨｚ帯の送受信機２は、１．５ＭＨｚ帯の周波数によって送受信を行うとともに、１．５ＭＨｚ帯の受信信号によってダイバーシチ受信できるように構成されている。
【００３１】
アンテナ切替スイッチ３Ｂは、ホィップアンテナＡＷ２と、第１の内蔵型アンテナＡ２１と、第２の内蔵型アンテナＡ２２とを、８００ＭＨｚ帯の使用時と１．５ＭＨｚ帯の使用時とに応じて切り替えて、８００ＭＨｚ帯の送受信機１と、１．５ＭＨｚ帯の送受信機２とにそれぞれ接続する。
【００３２】
ホィップアンテナＡＷ２は、露出型アンテナを構成し、通常、携帯電話装置の筐体から引き出して使用するように構成されており、１．５ＭＨｚ帯の送受信時のアンテナ特性が良好になるように、その長さ等が設定されている。第１の内蔵型アンテナＡ２１と第２の内蔵型アンテナＡ２２とは、携帯電話装置の筐体内に固定的に装置されており、第１の内蔵型アンテナＡ２１は、８００ＭＨｚ帯の送受信時のアンテナ特性が良好になるように、その長さ等が設定されている。
【００３３】
以下、図４，図５を参照して、この例の携帯型移動無線電話装置の動作を説明する。
この例の携帯電話装置は、８００ＭＨｚ帯での動作時には、図４（ｂ）に示すように、内蔵型アンテナＡ２１を送受信に使用し、ホィップアンテナＡＷ２を受信専用として使用する。この際、送信状態では、内蔵型アンテナＡ２１から電波が送出されるとともに、受信状態では、内蔵型アンテナＡ２１とホィップアンテナＡＷ２とによって、ダイバーシチ受信が行われる。この場合は、内蔵型アンテナＡ２１はメインアンテナとして機能し、ホィップアンテナＡＷ２は補助的な役割を果たしている。
【００３４】
また、この例の携帯電話装置は、１．５ＭＨｚ帯での動作時には、図４（ｂ）に示すように、ホィップアンテナＡＷ２を送受信に使用し、内蔵型アンテナＡ２２を受信専用として使用する。この際、送信状態では、ホィップアンテナＡＷ２から電波が送出されるとともに、受信状態では、ホィップアンテナＡＷ２と内蔵型アンテナＡ２２とによって、ダイバーシチ受信が行われる。この場合は、ホィップアンテナＡＷ２はメインアンテナとして機能し、内蔵型アンテナＡ２２は補助的な役割を果たしている。
【００３５】
図５は、この例の携帯電話装置における、アンテナ切替スイッチ３Ｂの構成例を示したものであって、８００ＭＨｚ帯送受信機１および１．５ＭＨｚ帯送受信機２において、Ｉ１は送受信アンテナ端子、Ｉ２はダイバーシチ受信のための受信専用アンテナ端子である。同図は、８００ＭＨｚ帯動作時における接続状態を例示し、１．５ＭＨｚ帯動作時には、各スイッチが反対側の接点に切り替えられる。
【００３６】
上述のように、８００ＭＨｚ帯の送受信機１およびび１．５ＭＨｚ帯の送受信機２と、ホィップアンテナＡＷ２，第１の内蔵型アンテナＡ２１及び第２の内蔵型アンテナＡ２２との間の接続は、アンテナ切替スイッチ３Ｂを図５に示すように構成して、切替制御信号によって、動作周波数帯に応じて切り替えることによって、図４（ｂ）に示すような所望の使用状態を実現することができる。
なお、この例の携帯型移動無線電話装置の外観構成は、図３に示された第１実施例の場合とほぼ同様である。
【００３７】
このように、この例の携帯型移動無線電話装置では、異なる２種類の周波数帯に対して、それぞれ専用の送受信用アンテナを設けたので、両周波数帯において、送受信時のアンテナ特性を良好にすることができるとともに、受信専用のアンテナを備えて、ダイバーシチ受信を行うことができるようにしたので、送受信時の性能を向上して、データ通信品質を改善することが可能となる。
【００３８】
以上、この発明の実施例を図面により詳述してきたが、具体的な構成はこの実施例に限られたものではなく、この発明の要旨を逸脱しない範囲の設計の変更等があってもこの発明に含まれる。例えば、本発明の携帯型移動無線電話装置の構成は、使用周波数帯が、８００ＭＨｚ帯と１．５ＭＨｚ帯との場合に限らず、他の２種類の周波数帯の組み合わせの場合にも適用可能なことは明らかである。また、ホィップアンテナは、引き出し型に限らず、固定型であってもよい。
【００３９】
【発明の効果】
以上説明したように、本発明の携帯型移動無線電話装置によれば、異なる２種類の周波数帯に対して、それぞれ送受信用アンテナを専用に設けたので、両周波数帯において、送受信時のアンテナ特性を良好にすることができるとともに、それぞれ受信専用のアンテナを備えることによって、ダイバーシチ受信を行うことができるようにしたので、送受信時の性能を向上することができ、データ通信品質を改善することが可能になる。
【図面の簡単な説明】
【図１】本発明の第１実施例である携帯型移動無線電話装置の構成を示すブロック図である。
【図２】同実施例の携帯型移動無線電話装置におけるアンテナ切替スイッチの構成例を示す図である。
【図３】同実施例の携帯型移動無線電話装置の外観構成例を示す図である。
【図４】本発明の第２実施例である携帯型移動無線電話装置の構成を示すブロック図である。
【図５】同実施例の携帯型移動無線電話装置におけるアンテナ切替スイッチの構成例を示す図である。
【図６】従来の２周波数帯型の携帯型移動無線電話装置の概要を示す図である。
【符号の説明】
１　　　８００ＭＨｚ帯送受信機（第１の送受信機）
２　　　１．５ＭＨｚ帯送受信機（第２の送受信機）
３Ａ，３Ｂ　　　アンテナ切替スイッチ（アンテナ切替手段）
ＡＷ１，ＡＷ２　　　ホィップアンテナ（露出型アンテナ）
Ａ１１，Ａ１２　　　内蔵型アンテナ
Ａ２１，Ａ２２　　　内蔵型アンテナ
【図１】
2004104184.tif 000003
【図２】
2004104184.tif 000004
【図３】
2004104184.tif 000005
【図４】
2004104184.tif 000006
【図５】
2004104184.tif 000007
【図６】
2004104184.tif 000008
【手続補正書】
【提出日】平成14年10月11日(2002.10.11)
【手続補正１】
【補正対象書類名】明細書
【補正対象項目名】０００５
【補正方法】変更
【補正の内容】
【０００５】
従来の２周波数帯型携帯電話装置は、図６（ａ）に示すように、８００ＭＨｚ帯の送受信機１と、１．５ＭＨｚ帯の送受信機２とを、アンテナ切替器３を介して、ホィップアンテナＡＷと、第１の内蔵型アンテナＡ１と、第２の内蔵型アンテナＡ２とに切り替えて接続するように構成されている。
そして、この際の各アンテナの使用形態は、図６（ｂ）に示すように、８００ＭＨｚ帯の場合は、ホィップアンテナＡＷを送受信アンテナとして用い、内蔵型アンテナＡ１をダイバーシチ受信のための受信専用アンテナとして用いるとともに、１．５ＭＨｚ帯の場合は、ホィップアンテナＡＷを送受信アンテナとして用い、内蔵型アンテナＡ２をダイバーシチのための受信専用アンテナとして用いるようになっている。
このように、従来の２周波数帯型携帯電話装置では、送受信用のアンテナが一つしかなく、そのため、同一のホィップアンテナを、８００ＭＨｚ帯と１．５ＭＨｚ帯とで共用して送受信を行うようになっていた。


【手続補正２】
【補正対象書類名】明細書
【補正対象項目名】０００６
【補正方法】変更
【補正の内容】
【０００６】
【特許文献１】
特開２００１−０３６４６１（請求項１−５及び図１−３）
【特許文献２】
特開２００２−００９６７９（請求項１−９及び図１−９）
【特許文献３】
特開平１１−１９１７５０（請求項１−６及び図１−５）